(57)【特許請求の範囲】
【請求項１】
（ａ）損傷を受けた既設鉄道高架橋柱の塑性ヒンジ区間のコンクリートをはつり、座屈した軸方向鉄筋を露出させ、
（ｂ）前記座屈した軸方向鉄筋を残して前記既設鉄道高架橋柱を取り除き、
（ｃ）前記座屈した軸方向鉄筋のうち、中心に近い鉄筋を所定本数残して、それ以外の鉄筋を取り除き、前記残した座屈した軸方向鉄筋を曲げ戻し処理し、
（ｄ）該曲げ戻し処理した軸方向鉄筋に新たな軸方向鉄筋を継手で接続し、該継手を配置した位置に、前記既設鉄道高架橋柱の外径より小さい外径の塑性ヒンジ区間保護キャップを設置し、
（ｅ）前記新たな軸方向鉄筋に帯鉄筋を巻き付け、
（ｆ）該帯鉄筋を巻き付けた軸方向鉄筋に前記塑性ヒンジ区間保護キャップの外径よりも小さい径となるようにコンクリートを打設することで、新たな鉄道高架橋柱への取り換えを行い、新たな鉄道高架橋柱間の空間拡幅を行うことを特徴とする損傷を受けた鉄道高架橋柱の取り換え工法。
【請求項２】
請求項１記載の損傷を受けた鉄道高架橋柱の取り換え工法において、前記塑性ヒンジ区間保護キャップが、鋼板または超高強度繊維補強コンクリートからなることを特徴とする損傷を受けた鉄道高架橋柱の取り換え工法。
【請求項３】
請求項１記載の損傷を受けた鉄道高架橋柱の取り換え工法において、前記軸方向鉄筋の曲げ戻し処理は熱処理によって行うことを特徴とする損傷を受けた鉄道高架橋柱の取り換え工法。
【請求項４】
請求項１記載の損傷を受けた鉄道高架橋柱の取り換え工法において、前記継手が重ね継手又は機械式継手であることを特徴とする損傷を受けた鉄道高架橋柱の取り換え工法。
【発明の詳細な説明】
【技術分野】
【０００１】
本発明は、震害、車両の衝突事故などにより損傷を受けた鉄道高架橋柱の取り換え工法に関するものである。また、空間拡幅を目的とした既設ＲＣ（鉄筋コンクリート：Ｒｅｉｎｆｏｒｃｅｄ  Ｃｏｎｃｒｅｔｅ）ラーメン高架橋柱の取り換え工法に関するものである。
【背景技術】
【０００２】
従来、橋脚の補強方法としては、例えば、橋脚の周囲に全体的に鉄筋が入った鉄筋コンクリート構造を形成するようにしたものがある（下記特許文献１参照）。
【０００３】
また、橋脚の建て替え工法では、図２に示すように、建て替え対象となる既存の橋脚１０１に隣接した位置に、当該既存の橋脚１０１を挟み込むように、橋軸方向両側に新規橋脚１０２，１０３を建て、それらの新規橋脚１０２，１０３によって主桁１０５及び床版１０６からなる橋梁の上部構造体１０４が支持される状態とした後に、既存の橋脚１０１を撤去するようにしていた（下記特許文献２参照）。
【先行技術文献】
【特許文献】
【０００４】
【特許文献１】特開２００７−１７７４９２号公報
【特許文献２】特開２００８−３０３６９８号公報
【発明の概要】
【発明が解決しようとする課題】
【０００５】
鉄道高架橋柱が震害などにより損傷を受けた場合、これまでの高架橋柱の取り換え工法では、軸方向鉄筋を曲げ戻して、鋼板を巻き立てる工法などを用いていた。また、既設鉄道高架橋柱は駅部幅が大きいものが多く、これまでの高架橋柱の取り換え工法では、新しい柱の幅を既存の柱の幅より小さくして高架橋柱間の空間拡幅を行うことが難しかった。仮に柱の幅を小さくした場合には、本設構造物として十分な耐力を得ることができる高架橋柱の取り換え工法とならない可能性があった。
【０００６】
本発明は、上記状況に鑑みて、震害などで損傷した鉄道高架橋柱の取り換えと同時に高架橋下の空間拡幅を行うことができる、損傷を受けた鉄道高架橋柱の取り換え工法を提供することを目的とする。
【課題を解決するための手段】
【０００７】
本発明は、上記目的を達成するために、
〔１〕損傷を受けた鉄道高架橋柱の取り換え工法において、損傷を受けた既設鉄道高架橋柱の塑性ヒンジ区間のコンクリートをはつり、座屈した軸方向鉄筋を露出させ、前記座屈した軸方向鉄筋を残して前記既設鉄道高架橋柱を取り除き、前記座屈した軸方向鉄筋のうち、中心に近い鉄筋を所定本数残して、それ以外の鉄筋を取り除き、前記残した座屈した軸方向鉄筋を曲げ戻し処理し、この曲げ戻し処理した軸方向鉄筋に新たな軸方向鉄筋を継手で接続し、この継手を配置した位置に、前記既設鉄道高架橋柱の外径より小さい外径の塑性ヒンジ区間保護キャップを設置し、前記新たな軸方向鉄筋に帯鉄筋を巻き付け、この帯鉄筋を巻き付けた軸方向鉄筋に前記塑性ヒンジ区間保護キャップの外径よりも小さい径となるようにコンクリートを打設することで、新たな鉄道高架橋柱への取り換えを行い、新たな鉄道高架橋柱間の空間拡幅を行うことを特徴とする。
【０００８】
〔２〕上記〔１〕記載の損傷を受けた鉄道高架橋柱の取り換え工法において、前記塑性ヒンジ区間保護キャップが、鋼板または超高強度繊維補強コンクリートからなることを特徴とする。
【０００９】
〔３〕上記〔１〕記載の損傷を受けた鉄道高架橋柱の取り換え工法において、前記軸方向鉄筋の曲げ戻し処理は熱処理によって行うことを特徴とする。
【００１０】
〔４〕上記〔１〕記載の損傷を受けた鉄道高架橋柱の取り換え工法において、前記継手が重ね継手又は機械式継手であることを特徴とする。
【発明の効果】
【００１１】
本発明によれば、震害などにより損傷を受けた既設鉄道高架橋柱の塑性ヒンジ区間の鉄筋を利用した鉄道高架橋柱の取り換え工法を提供することができる。
【００１２】
また、鉄道高架橋下の空間を拡幅することができ、その空間の有効利用に資することができる。加えて、鉄道高架橋柱の性能向上を図ることができる。
【図面の簡単な説明】
【００１３】
【図１】本発明の実施例を示す損傷を受けた鉄道高架橋柱の取り換え工法を示す図である。
【図２】従来の橋脚の建て替え工法を示す図である。
【発明を実施するための形態】
【００１４】
本発明の損傷を受けた鉄道高架橋柱の取り換え工法は、損傷を受けた既設鉄道高架橋柱の塑性ヒンジ区間のコンクリートをはつり、座屈した軸方向鉄筋を露出させ、前記座屈した軸方向鉄筋を残して前記既設鉄道高架橋柱を取り除き、前記座屈した軸方向鉄筋のうち、中心に近い鉄筋を所定本数残して、それ以外の鉄筋を取り除き、前記残した座屈した軸方向鉄筋を曲げ戻し処理し、この曲げ戻し処理した軸方向鉄筋に新たな軸方向鉄筋を継手で接続し、この継手を配置した位置に、前記既設鉄道高架橋柱の外径より小さい外径の塑性ヒンジ区間保護キャップを設置し、前記新たな軸方向鉄筋に帯鉄筋を巻き付け、この帯鉄筋を巻き付けた軸方向鉄筋に前記塑性ヒンジ区間保護キャップの外径よりも小さい径となるようにコンクリートを打設することで、新たな鉄道高架橋柱への取り換えを行い、新たな鉄道高架橋柱間の空間拡幅を行う。
【実施例】
【００１５】
以下、本発明の実施の形態について詳細に説明する。
【００１６】
図１は本発明の実施例を示す損傷を受けた鉄道高架橋柱の取り換え工法を示す図である。
【００１７】
本発明は、損傷した塑性ヒンジ区間の鉄筋を残して柱の取り換えを行うものである。なお、鉄道高架橋柱を切断して柱を取り除いた場合における高架橋柱の倒壊などを防ぐため、仮支柱による補強工事や仮工事が必要になるが、それらについては説明を省略する。
【００１８】
（１）まず、図１（ａ）に示すように、既設鉄道高架橋柱である既設ＲＣラーメン高架橋柱１を点検し、損傷の発生を確認する。例えば、震害による損傷の場合、特に、塑性ヒンジ区間２，２′に軸方向鉄筋３，３′の座屈等の損傷が発生しやすい。なお、Ａは既設ＲＣラーメン高架橋柱１の基台、Ｂは既設ＲＣラーメン高架橋柱１の上部構造体である。
【００１９】
（２）次に、図１（ｂ）に示すように、軸方向鉄筋３，３′の座屈が発生している塑性ヒンジ区間２，２′のコンクリートをはつり、鉄筋を露出させる。この時、既設ＲＣラーメン高架橋柱１の塑性ヒンジ区間２，２′は損傷を受けているため、比較的容易にはつることができる。
【００２０】
（３）次に、図１（ｃ）に示すように、元の柱４を切断して取り除き、塑性ヒンジ区間２，２′の座屈した軸方向鉄筋３，３′のみにする。
【００２１】
（４）次に、図１（ｄ）に示すように、座屈した軸方向鉄筋３，３′のうち、中心に近い鉄筋を所定本数残して取り除き、残した座屈した軸方向鉄筋３，３′を熱処理により曲げ戻して鉄筋５，５′とする。
【００２２】
（５）次に、図１（ｅ）に示すように、座屈した軸方向鉄筋３，３′を曲げ戻した鉄筋５，５′に、軸方向鉄筋６を継手７，７′で新たに接続し、そこに塑性ヒンジ区間保護キャップ８，８′を設置する。ここで、継手７，７′としては、例えば、重ね継手、機械式継手などを用いる。また、塑性ヒンジ区間保護キャップ８，８′は、鋼板や超高強度繊維補強コンクリートなどからなるものを用い、その外径は元の柱４の外径よりも小さいものとする。
【００２３】
（６）次に、図１（ｆ）に示すように、軸方向鉄筋６に帯鉄筋９を巻き付ける。
【００２４】
（７）次に、図１（ｇ）に示すように、帯鉄筋９を巻き付けた軸方向鉄筋６に塑性ヒンジ区間保護キャップ８，８′の外径よりも小さい径となるようにコンクリート１０を打設する。
【００２５】
（８）すると、図１（ｈ）に示すように、既設ＲＣラーメン高架橋柱の取り換えが完了する。ここで、新たな塑性ヒンジ区間１１，１１′が構築されることになる。
【００２６】
このように、本発明の損傷を受けた鉄道高架橋柱の取り換え工法では、震害などにより損傷した塑性ヒンジ区間の軸方向鉄筋を曲げ戻して利用することにより新しい高架橋柱としてリニューアルする。また、既設鉄道高架橋柱の幅よりも狭い幅の柱とするようにコンクリートを打設することで、柱取り替え後の高架橋柱の空間を拡幅し、高架橋下の空間を有効利用することができる。
【００２７】
本発明の工法では、座屈した鉄筋を曲げ戻して新たな鉄筋と接続した継手配置箇所に塑性ヒンジ区間保護キャップを設け、さらに新たな軸方向鉄筋に帯鉄筋を巻きつけてコンクリートを打設するようにしているので、柱の幅を細くしても本設構造物としての十分な耐力を得ることができる。
【００２８】
なお、本発明は上記実施例に限定されるものではなく、本発明の趣旨に基づき種々の変形が可能であり、これらを本発明の範囲から排除するものではない。
【産業上の利用可能性】
【００２９】
本発明は、損傷を受けた鉄道高架橋柱の取り換え工法であって、震害などで損傷した鉄道高架橋柱の取り換え工法として利用可能である。
【符号の説明】
【００３０】
１    既設鉄道高架橋柱（既設ＲＣラーメン高架橋柱）
２，２′    塑性ヒンジ区間
３，３′    座屈した軸方向鉄筋
４    元の柱
５，５′    鉄筋
６    軸方向鉄筋
７，７′    継手
８，８′    塑性ヒンジ区間保護キャップ
９    帯鉄筋
１０    コンクリート
１１，１１′    新たな塑性ヒンジ区間
Ａ    既設ＲＣラーメン高架橋柱の基台
Ｂ    既設ＲＣラーメン高架橋柱の上部構造体
【図２】
0005714336.tif 000002
【図１】
0005714336.tif 000003